(57)【要約】 【課題】  操作者が、各導子がどのグループに属しているかを容易に識別可能とした利便性に優れた多チャンネル式低周波治療器を提供すること。【解決手段】  低周波電流を出力する複数の出力チャンネルと、複数の治療タイマーとを有し、複数の出力チャンネルのうち少なくとも一つ以上の出力チャンネルを任意選択し一纏めにし複数のグループ構成を可能とした多チャンネル式低周波治療器であって、各出力チャンネルに接続された一対の導子がいずれのグループに属しているかを表示する表示手段を、各導子及び／又は各導子が接続される接続端子の近接位置とに配置したことを特徴とする多チャンネル式低周波治療器である。【選択図】  図２
2006061341.tif 000002
【特許請求の範囲】
【請求項１】
低周波電流を出力する複数の出力チャンネルと、複数の治療タイマーとを有し、複数の出力チャンネルのうち少なくとも一つ以上の出力チャンネルを選択し一纏めにし複数のグループ構成を可能とした多チャンネル式低周波治療器であって、各出力チャンネルに接続された一対の導子がいずれのグループに属しているかを表示する表示手段を、各導子及び／又は各導子が接続される接続端子の近接位置に配置したことを特徴とする多チャンネル式低周波治療器。
【請求項２】
表示手段は色、数字、記号のうち少なくとも一つ以上の標識で一対の導子がいずれのグループに属しているかを識別表示することを特徴とする請求項１記載の多チャンネル式低周波治療器。
【発明の詳細な説明】
【技術分野】
【０００１】
本発明は、複数の出力部から人体の患部に対し低周波刺激を付与し凝りや痛み等の治療を行なう多チャンネル式低周波治療器に関するものである。
【背景技術】
【０００２】
従来技術の多チャンネル低周波治療器は、低周波電流を出力する複数の出力チャンネルと、複数の治療タイマーを有し、各治療タイマーは複数の出力チャンネルの内から任意の出力チャンネルを選択して一つのグループとし、複数のグループを構成することが可能なことを特徴としている
【０００３】
しかしながら、各出力チャンネルに接続された導子が複数のグループのいずれに属しているかを導子等に設けた表示手段から識別可能とする機能は具備していない。
【０００４】
従って、患者の人体表皮における複数箇所の患部にそれぞれ複数の導子を被着し治療を行う場合には、複数の導子の接続コードが互いに交錯し絡み合う状況が多くなり、操作者は各導子がどのグループに属しているかを識別するのに導子の接続コードを辿りながら都度確認しなければならず煩雑さを伴うといった問題点があった。
【特許文献１】特開２００４−２２９９７２号
【発明の開示】
【発明が解決しようとする課題】
【０００５】
本発明の目的は、上述の問題点を解決し、操作者が、各導子がどのグループに属しているかを容易に識別可能とした利便性に優れた多チャンネル式低周波治療器を提供することにある。
【課題を解決するための手段】
【０００６】
上記の目的を実現する為、本発明では、低周波電流を出力する複数の出力チャンネルと、複数の治療タイマーとを有し、複数の出力チャンネルのうち少なくとも一つ以上の出力チャンネルを選択し一纏めにし複数のグループ構成を可能とした多チャンネル式低周波治療器であって、各出力チャンネルに接続された一対の導子がいずれのグループに属しているかを表示する表示手段を、各導子及び／又は各導子が接続される接続端子の近接位置に配置した。
【０００７】
そして、表示手段を色、数字、記号のうち少なくとも一つ以上の標識で一対の導子がいずれのグループに属しているかを表示するものとした。
【発明の効果】
【０００８】
本発明は、低周波電流を出力する複数の出力チャンネルと、複数の治療タイマーとを有し、各治療タイマーに複数の出力チャンネルのうち少なくとも一つ以上の出力チャンネルを選択し一纏めにしたグループを配属するものであるから、治療タイマー毎に出力チャンネルの組み合わせ関係を患者の多種多様な症状に応じて種種変更することができ、故に、患者の複数箇所の患部又は複数名の患者に対してそれぞれ適切な個数の出力チャンネルをグループ化して最適な治療時間だけ治療することができる。従って、複数の出力チャンネルからの出力機能を効果的に使い分けすることができ、好都合である。
【０００９】
本発明は、表示手段が色、数字、記号のうち少なくとも一つ以上の標識で一対の導子がいずれのグループに属しているかを識別表示するものであるから、操作者は各導子と、各導子が接続される接続端子の近接位置に表示される標識とを見比べるだけで、各出力チャンネルに接続された一対の導子が複数のグループのいずれに属しているかを一目で容易に識別可能となり、視認性を向上できる。
その結果、操作者はそれぞれのグループに属する導子が、患者のどの患部に被着されどういう出力状況下にあるか等を容易に認識可能となる。
【００１０】
又、本発明は、例えば、複数個のグループに対しそれぞれ異なる治療時間を設定し複数部位の治療を継続している場合において、或一つのグループに属する出力チャンネルからの低周波電流出力が終了した際に、出力終了した導子とまだ出力持続状態にある他のグループに属する出力チャンネルに接続される導子との識別を誤り出力持続状態にある導子を患者の人体表皮から取り外してしまうといった不都合な事態も防止することができる。
【発明を実施するための最良の形態】
【００１１】
導子が、複数の出力チャンネルから任意に選択され構成されるグループのいずれに属しているかを容易に識別可能にするという目的を、各出力チャンネルに接続された一対の導子がいずれのグループに属しているかを表示する表示手段を、各導子及び／又は各導子が接続される接続端子の近接位置に配置し、更に、表示手段を、色、記号、数字のうち少なくとも一つ以上の標識で一対の導子がいずれのグループに属しているかを識別表示することにより実現した。
【実施例１】
【００１２】
図１乃至４に本発明の実施例１を示す。
図１は多チャンネル式低周波治療器１の外観を示す斜視図、図２は多チャンネル式低周波治療器１の電気的構成を示すブロック図である。多チャンネル式低周波治療器１は、人体の患部に対し低周波電流を付与する合計６個の出力チャンネル３（３ａ乃至３ｆ）と、電源５と、６個の出力チャンネル３の内から任意の出力チャンネル３を選択し少なくとも一つ以上のグループを設定するチャンネルグループ化部７と、各出力チャンネル３からの低周波電流の強度を調整する出力設定部１０と、前記チャンネルグループ化部７及び出力設定部１０からの信号に基づいて６個の各出力チャンネル３から出力される低周波電流を制御する制御部６と、グループ毎に選択設定された出力チャンネル３の組み合わせ状態及び低周波出力状態等の各種情報を表示する表示装置９とから構成される。
【００１３】
前記出力チャンネル３ａ乃至３ｆはそれぞれ出力部２と、該出力部２に接続され導子８ａ・８ｂとからなる一対の導子８とを有している。
尚、出力チャンネル３ａをＣＨ１（チャンネル１）とし、以下同様に出力チャンネル３ｂ乃至３ｆをそれぞれＣＨ２（チャンネル２）乃至ＣＨ６（チャンネル６）とする。前記出力部２は、電圧波形を作成する波形作成回路１１と、出力電流を調整する半導体出力調整器１２と、出力電流を発生する出力回路１３と、出力電流を検出する出力電流検出回路１４とからなる。
【００１４】
前記導子８ａ・８ｂにはそれぞれ表示手段２７としてＬＥＤ１９のような発光表示素子が配設されている。導子８ａ・８ｂは、コネクターパネル部２６に設けられる接続端子２８に着脱自在に接続される。
前記コネクターパネル部２６に設けられた接続端子２８の近接位置にもＬＥＤ１９がそれぞれ配設される。
【００１５】
前記チャンネルグループ化部７は、治療時間を計数し多チャンネル式低周波治療器１を作動させる計三個の治療タイマー４（４ａ乃至４ｃ）と、ＣＨ１乃至ＣＨ６の内から任意に選択されたＣＨを起動させる出力チャンネル選択起動部２０と、前記三個の治療タイマー４毎に選択されグループ化されたＣＨの組み合わせ関係を記憶する組み合わせ記憶部２１と、予め記憶された複数グループ中から一つを選択し決定する選択スイッチ２２とからなる。
【００１６】
図３に示すように前記表示装置９（具体例では液晶ディスプレイ等の画像表示器２３）には、治療タイマー４毎のグループとそのグループ内のＣＨの組み合わせ関係が図柄及び色で表示される。その他、表示装置９の治療時間欄に治療タイマー４にてそれぞれ設定された治療時間の残時間等が表示される。グループごとのＣＨの組み合わせ関係を表示する色は、各グループ毎に異なる色が配色される。尚、複数個のグループを設定した場合、或一つのグループ内に配属されるＣＨは、他のグループ内に重複して配属されることがないようソフトウェア設計がなされている。
【００１７】
導子８ａ・８ｂ及び導子８ａ・８ｂが接続されるコネクターパネル部２６の接続端子２８の近接位置に配設したＬＥＤ１９は、表示装置９に表示されるグループの内導子８ａ・８ｂが属するグループに配色された色と同系色の発光表示が可能となるようチャンネルグループ化部７と電気的に接続がなされている。尚、導子８ａ・８ｂに設けたＬＥＤ１９だけを表示装置９に表示されるグループの内導子８ａ・８ｂが属するグループに配色された色と同系色の発光表示をするように構成してもよいし、或いは導子８ａ・８ｂが接続されるコネクターパネル部２６の接続端子２８の近接位置に配設したＬＥＤ１９だけを表示装置９に表示されるグループの内導子８ａ・８ｂが属するグループに配色された色と同系色の発光表示をするように構成してもよい。
【００１８】
グループ毎のＣＨの組み合わせを変更した場合は、前記組み合わせ変更に応じて各導子８に設けたＬＥＤ１９及び接続端子２８の近接位置に配設したＬＥＤ１９の発光表示色は自動的に変化する。
【００１９】
前記各出力設定部１０は、操作者が手動にて低周波電流出力を調整する出力調整操作部１８と、低周波電流の出力値を設定する設定値検出用ポテンショメーター１７と、前記出力調整操作部１８を零位置にまで復帰させる零位置復帰用モーター１５と、該零位置復帰用モーター１５を駆動させるモーター駆動回路１６とからなる。前記出力調整操作部１８は、多チャンネル式低周波治療器１の筐体２５の操作パネル２４面に突設して設けられる。
【００２０】
使用に際して、導子８ａ・８ｂを患者の人体の患部に適宜間隔をあけて被着した後、多チャンネル式低周波治療器１を作動させ患者に通電治療を施す。
【００２１】
多チャンネル式低周波治療器１は、合計三個の治療タイマー４ａ乃至４ｃと合計六個のＣＨ１乃至ＣＨ６とを有しているので、最大三人の患者に対して一箇所乃至四箇所の通電治療が同時に可能となる。
【００２２】
図４に三個の各治療タイマー４ａ乃至４ｃに係るグループ１乃至３に割り当てたＣＨ１乃至ＣＨ６の組み合わせパターンの設定例を示す。当該設定例は前記組み合わせ記憶部２１内に記憶されており、操作者は治療前に患者人数、患者当りの通電箇所数等を考慮した上で最適な組み合わせパターンを選択スイッチ２２で選択し決定する。
【００２３】
例えば、一名の患者に対して三箇所の異なる治療部位を通電治療するに際して、操作者が前記選択スイッチ２２を操作し組み合わせパターンの中から設定例３を選択した場合、表示装置９には、図３に示すようにグループ１乃至３の三組のグループが左から順に三列に図枠で区別表示され、左列のグループ１にはＣＨ１及びＣＨ２が、中列のグループ２にはＣＨ３及びＣＨ４が、右列のグループ３にはＣＨ５及びＣＨ６がそれぞれ配属表示される。
【００２４】
この時、グループ１の表示欄（図３中、グループ１列の左上欄）が赤色で，グループ２の表示欄が黄色で、グループ３の表示欄が緑色でそれぞれ着色されグループの識別表示がなされる。
【００２５】
表示装置９に、上述したＣＨ１乃至ＣＨ６とグループ１乃至３とに係る組み合わせが図枠及び色で識別表示されるとともに、グループ１に配属されるＣＨ１及びＣＨ２、グループ２に配属されるＣＨ３及びＣＨ４、グループ３に配属されるＣＨ５及びＣＨ６に接続される導子８に設けられたＬＥＤ１９及び当該導子８が接続される接続端子２８の近接位置に設けられたＬＥＤ１９にはそれぞれグループ１を表示する赤色、グループ２を表示する黄色、グループ３を表示する緑色と同系色の発光表示がなされる。
【００２６】
従って、操作者は、表示装置９に表示されるＣＨ１乃至ＣＨ６とグループ１乃至３とに係る組み合わせの色表示と、導子８に設けられたＬＥＤ１９及び当該導子８が接続される接続端子２８の近接位置に設けられたＬＥＤ１９に点灯される発光表示とを見比べることにより、ＣＨ１乃至ＣＨ６に接続された各導子８が三組のグループ１乃至３のいずれに属しているか及びグループ１乃至３に属する各導子８が患者のどの患部に被着されているかを容易に識別できる。
【００２７】
又、グループ１乃至３に対しそれぞれ異なる治療時間を設定し患者の治療を継続している場合において、或一つのグループ（例えば、グループ２）に属するＣＨからの低周波電流出力が終了した際に、出力終了した導子８の識別を誤り、まだ出力持続状態にある他のグループ（例えば、グループ１）に属するＣＨに接続される導子８と間違えて、当該導子８を患者の人体表皮から取り外してしまうといった不都合な事態も防止できる。
【００２８】
更に、上述の設定例を利用して、三名の患者に対してそれぞれグループ１乃至３に配属される２個のＣＨに接続された導子８を分別被着し通電治療する場合には、グループ１乃至３に属する各導子８が三名のいずれの患者に被着されているかを容易に識別できることになる。
【００２９】
尚、実施例１では、表示手段２７を色とした例を述べたが、表示手段２７を、ＬＥＤ１９を７つのセグメント状に配置し、当該７セグメント状のＬＥＤにて発光表示される数字とする構成としてもよい。この場合、操作者は導子８等に発光表示される数字と、表示装置９に表示されるグループ１乃至３の数字とを見比べることにより、一対の導子がいずれのグループに属しているかを容易に認識できる。
【００３０】
又、実施例１では、三個の治療タイマー４と六個の出力チャンネル３を設けた例を説明したが、本発明はこれに限定されるものでなく、出力チャンネル３及び治療タイマー４の数は２個以上の複数であれば良い。出力チャンネル３及び治療タイマー４の数が増大するに従い、本発明の価値は一層高まるものとなる。
【産業上の利用可能性】
【００３１】
本発明は、複数の出力チャンネルから人体の患部に対し低周波刺激を付与し治療を行う多チャンネル式低周波治療器に適用できる。
【図面の簡単な説明】
【００３２】
【図１】本発明の多チャンネル式低周波治療器を示す斜視図である。
【図２】本発明の多チャンネル式低周波治療器の電気的構成を示すブロック図である。
【図３】本発明の表示装置の表示状態の一例を示す図である。
【図４】本発明の出力チャンネルの組み合わせの一例を示す図である。
【符号の説明】
【００３３】
３  出力チャンネル
４  治療タイマー      
８  導子
２７  表示手段
２８  接続端子      
【図１】
2006061341.tif 000003
【図２】
2006061341.tif 000004
【図３】
2006061341.tif 000005
【図４】
2006061341.tif 000006